(57)【要約】【課題】超音波診断装置に接続される各電子ユニットに対する電源供給管理を容易に行うことができる超音波診断装置の電源管理システムを提供する。【解決手段】超音波診断装置の操作者がユーザＳＷ３６をオンすると、電源ユニット１２のオン・オフ制御回路２８を介して、電源管理ユニット１８の電源コントローラ２０が起動する。同時に、電源ユニット１２のオン・オフ制御回路２８が起動する。電源コントローラ２０が起動すると、電源コントローラ２０は電源ユニット１２のオン・オフ制御回路２８に対して、各電子ユニット１６ａ−１６ｎへの電源を所定の制御順序でオンするように各個別電源２６ａ−２６ｎを制御する。【選択図】        図１
2004159812.tif 000002
【特許請求の範囲】
【請求項１】
超音波診断装置に含まれる複数の電子ユニットへ所定電圧を供給可能な複数の個別電源と、
前記各個別電源による各電子ユニットへの電源供給制御の開始に先立ち起動する電源管理ユニットと、
を含み、
前記電源管理ユニットは、起動後、前記各個別電源を所定の順序で制御し各電子ユニットへの電源供給のオン・オフ制御を開始することを特徴とする超音波診断装置の電源管理システム。
【請求項２】
請求項１記載の装置において、
前記電源管理ユニットは、低電圧用の個別電源のオン制御を行い、その後、高電圧用の個別電源のオン制御を行うことを特徴とする超音波診断装置の電源管理システム。
【請求項３】
請求項１または請求項２記載の装置において、
前記電源管理ユニットは、個別電源を順次オン制御するオン順序シーケンスと、その逆の順番で順次オフ制御するオフ順序シーケンスとを有することを特徴とする超音波診断装置の電源管理システム。
【請求項４】
請求項１から請求項３のいずれか１つに記載の装置において、
さらに、
前記個別電源の電圧が各電子ユニットへ供給される直前の電圧値を監視するセンサと、
前記センサの監視結果を提示する提示部と、
を含むことを特徴とする超音波診断装置の電源管理システム。
【請求項５】
請求項４記載の装置において、
前記提示部は、前記電源管理ユニットが直接制御する提示素子で構成されることを特徴とする超音波診断装置の電源管理システム。
【発明の詳細な説明】
【０００１】
【発明の属する技術分野】
本発明は、超音波診断装置の電源管理システム、特に、超音波診断装置に接続される各電子ユニットに対する電源供給管理を容易に行うことができる超音波診断装置の電源管理システムの改良に関する。
【０００２】
【従来の技術】
従来から、電子設備、例えば超音波診断装置等においては、内部に搭載される電子ユニット、例えば、アナログ回路ユニットやデジタル回路ユニット等に所定の電圧を供給するためにＤＣ±５Ｖ、±１２Ｖ、±１５Ｖ、３．３Ｖ等を発生する複数の個別電源が搭載されている。また、超音波診断装置に外部接続され駆動される電子ユニットとして超音波探触子等がある。これらは、高電圧の電源、例えばＤＣ±９０Ｖ、±６０Ｖ等が必要でありこの高電圧を発生する個別電源も搭載されている。
【０００３】
従来、これらの個別電源は、降圧トランスやＡＣ−ＤＣ変換器等により超音波診断装置に接続されたＡＣ１００Ｖ等を所望のＤＣ電圧まで落として、各電子ユニットに供給している。
【０００４】
通常、超音波診断装置を動作させる場合には、ユーザが電源スイッチをオンすると、各個別電源（±５Ｖ、±１２Ｖ、±１５Ｖ、±９０Ｖ、±６０Ｖ等）の電圧供給制御も同時に開始され動作状態へと移行していく。
【０００５】
また、超音波診断装置において、内部に搭載される電子ユニット毎にパワーセーブのための電源のオフ制御を行うものがある（例えば、特許文献１参照）。
【０００６】
【特許文献１】
特開２０００−７０２６２号公報
【０００７】
【発明が解決しようとする課題】
しかし、各個別電源が電源供給を行う電子ユニットには、様々な負荷が接続されているので、個別電源側が同時に立ち上がったとしても負荷側の電源の立ち上がり波形は、その負荷に依存し、必ずしも同時にオン・オフとはならない。このような、電源の立ち上がりにばらつきが出ると、例えば、ＩＣの動作が不安定になる場合がある。具体的には、電子ユニット側が複数の電源供給を必要とする場合、例えば、３．３Ｖと５Ｖの供給を受けて、３．３Ｖと５Ｖの信号電圧レベルを変換するＩＣが電子ユニットに搭載されている場合、もし、電子ユニットにおいて５Ｖ側の立ち上がりが遅れた場合、前記ＩＣに３．３Ｖのみが供給される。この場合、ＩＣに過電流が流れて、ラッチアップが生じる虞がある。このような不都合を回避するために、通常、ＩＣに過電流が流れないようにするため、電源ラインに保護抵抗等を付加する等、様々な安全対策がとられていた。これらの対策は、各ＩＣや電源ライン毎に必要である。その結果、回路構成が煩雑になったり、設計上制限を受けたりしていた。そのため、電源供給に関する信頼性を維持または、さらに高めると共に、回路構成を簡略化し電源管理を容易に行いたいという要望があった。
【０００８】
本発明は、上記課題に鑑みなされたものであり、超音波診断装置に接続される各電子ユニットに対する電源供給管理を容易に行うことができる超音波診断装置の電源管理システムを提供することを目的とする。
【０００９】
【課題を解決するための手段】
上記のような目的を達成するために、本発明は、超音波診断装置に含まれる複数の電子ユニットへ所定電圧を供給可能な複数の個別電源と、前記各個別電源による各電子ユニットへの電源供給制御の開始に先立ち起動する電源管理ユニットと、を含み、前記電源管理ユニットは、起動後、前記各個別電源を所定の順序で制御し各電子ユニットへの電源供給のオン・オフ制御を開始することを特徴とする。
【００１０】
この構成によれば、電子ユニット側に接続されている負荷の状態に関わらず、各個別電源が個別に制御され、所定の順番で個別電源のオン・オフ制御が行われる。その結果、電子ユニット側においても常に同じ順番で電源供給のオン・オフが行われる。つまり、各電子ユニットは、常に最適なタイミングで電源のオン・オフ制御を受け良好に動作することができる。
【００１１】
上記のような目的を達成するために、本発明は、上記構成において、前記電源管理ユニットは、低電圧用の個別電源のオン制御を行い、その後、高電圧用の個別電源のオン制御を行うことを特徴とする。
【００１２】
ここで、低電圧とは、主に制御回路用に用いる電圧であり、例えば、２０Ｖ未満、好ましくは１５Ｖ以下である。また、高電圧とは、主に機器駆動用に用いる電圧であり、例えば２０Ｖ以上、好ましくは５０Ｖ以上である。
【００１３】
この構成によれば、低電圧で機能する制御回路が正常、かつ確実に動作した後に高電圧で機能する機器の使用が可能になるので、超音波診断装置の動作安全性を向上することが可能になる。
【００１４】
上記のような目的を達成するために、本発明は、上記構成において、前記電源管理ユニットは、個別電源を順次オン制御するオン順序シーケンスと、その逆の順番で順次オフ制御するオフ順序シーケンスとを有することを特徴とする。
【００１５】
この構成によれば、電源オフ時にも所定の順番で個別電源からの電源供給を遮断していくので、各電子ユニットに対し意図しない電圧の接続によるダメージを与えることを排除することが可能となる。
【００１６】
上記のような目的を達成するために、本発明は、上記構成において、さらに、前記個別電源の電圧が各電子ユニットへ供給される直前の電圧値を監視するセンサと、前記センサの監視結果を提示する提示部と、を含むことを特徴とする。
【００１７】
この構成によれば、各電子ユニット側における電源電圧の状態を正確に監視することができると共に、ユーザに迅速に検出結果を提示することができる。
【００１８】
上記のような目的を達成するために、本発明は、上記構成において、前記提示部は、前記電源管理ユニットが直接制御する提示素子で構成されることを特徴とする。
【００１９】
ここで、提示素子とは、ＬＥＤやブザー等の単純な制御素子である。この構成によれば、立ち上がりが遅い超音波診断装置の主プログラム等が起動する前でも電源管理ユニットの起動後、直ちに電源電圧の状態を容易にユーザに提示することができる。
【００２０】
【発明の実施の形態】
以下、本発明の好適な実施の形態（以下、実施形態という）を図面に基づき説明する。
【００２１】
図１には、本実施形態の超音波診断装置の電源管理システム１０の構成概念図が示されている。電源管理システム１０は、大別して、超音波診断装置に含まれる超音波探触子の動作やそれに関連する機器やボード等に電源を供給するための電源系をまとめた電源ユニット１２と、超音波診断装置の全体制御を行うと共に、取得したデータに基づき画像解析等を行うホストコントローラユニット（例えばパーソナルコンピュータ）１４と、前記電源ユニット１２から電源の供給を受けて超音波の送信を行う超音波送信ユニットや取得した超音波信号の解析等を行う超音波信号解析ユニット等の複数の電子ユニット１６ａ−１６ｎ（図面上１つのボックスで図示）と、主に電子ユニット１６ａ−１６ｎに対する電源の供給管理を行う電源管理ユニット１８と、で構成されている。なお、電源管理ユニット１８は、ユニットとして独立して設けられてもよいし、任意のユニット、例えば電子ユニット１６ａ等と一体化されてもよい。
【００２２】
本実施形態の特徴的事項は、電子ユニット１６ａ−１６ｎに対する電源の供給管理をホストコントローラユニット１４や電源ユニット１２ではなく、独立した電源管理ユニット１８で行い、かつ電子ユニット１６ａ−１６ｎ毎の電源を決まった順序でオン、またはオフする制御を行っているところである。つまり、電源管理ユニット１８を構成する電源コントローラ２０が、各電子ユニット１６ａ−１６ｎへ供給する電源のオン・オフ制御を単独で行っているところである。なお、本実施形態において、電源コントローラ２０は、各電子ユニット１６ａ−１６ｎとは独立して動作するホストコントローラユニット１４のオン・オフ制御回路２２の制御も併せて行っている。
【００２３】
図１において、電源ユニット１２は、外部供給電源、例えばＡＣ１００Ｖに接続されたトランス＆電源安定化回路２４を含んでおり、ＡＣ−ＤＣ変換を行うと共に、各個別電源２６ａ−２６ｎで各電子ユニット１６ａ−１６ｎに適した所望の電圧を変換できるように、各個別電源２６ａ−２６ｎに電源を供給している。また、電源ユニット１２に含まれるオン・オフ制御回路２８にも所定電圧の電源を供給している。個別電源２６ａ−２６ｎは、例えば、制御コントローラ用の電源として５Ｖ、アナログ回路用として±５Ｖ、±１２Ｖ、±１５Ｖ、デジタル回路用として３．３Ｖ、超音波振動子を駆動するための超音波送信回路用として±９０Ｖ、±６０Ｖ等が準備されている。
【００２４】
一方、ホストコントローラユニット１４は、当該ホストコントローラユニット１４が単独で動作できるように専用の電源システムを有している。すなわち、外部供給電源、例えばＡＣ１００Ｖに接続されたトランス＆電源安定化回路３０を含んでおり、ＡＣ−ＤＣ変換を行うと共に、ホストコントローラユニット１４に含まれるホストコントローラ３２ａやそれ以外の内部回路３２ｂ−３２ｎに適した所望の電圧を変換できるように、各個別電源３４ａ−３４ｎに電源を供給している。
【００２５】
上述のように構成される電源管理システム１０の動作を説明する。まず、超音波診断装置の操作者がユーザスイッチ（ユーザＳＷ）３６をオンすることにより、トランス＆電源安定化回路２４が接続されたオン・オフ制御回路２８が起動し、当該オン・オフ制御回路２８を介して電源の供給を受けた電源管理ユニット１８の電源コントローラ２０が起動する。電源コントローラ２０（電源管理ユニット１８）が起動すると、電源ユニット１２のオン・オフ制御回路２８に対して、各個別電源２６ａ−２６ｎを介して各電子ユニット１６ａ−１６ｎへの電源供給を所定の制御順序（オン順序シーケンス）で開始するように制御信号を送る。つまり、電子ユニット１６ａ−１６ｎへの電源供給制御に先立ち電源コントローラ２０による制御が開始される。
【００２６】
この時の制御順序は、例えば、図２に示すように、５Ｖ（制御コントローラ用）、±５Ｖ（アナログ回路用）、±１２Ｖ、±１５Ｖ（アナログ回路用）、３．３Ｖ（デジタル回路用）、±９０Ｖ（超音波送信回路用）、±６０Ｖ（超音波送信回路用）の順に行う。例えば、３．３Ｖのオン時には、必ず、５Ｖ、±５Ｖ、±１２Ｖ、±１５Ｖが先行してオンの状態になるように制御する。このように、常に各個別電源２６ａ−２６ｎの投入順が一定になるように制御することにより、各電子ユニット１６ａ−１６ｎ側では、その負荷状態に関わらず、必ず所定の順番で電源の供給を受けることができる。例えば、図３に示すような複数種類の電圧（例えば、３．３Ｖと５Ｖ）の供給を受けて、３．３Ｖと５Ｖの信号電圧レベルを変換するＩＣ３８の場合、前述したように、３．３Ｖの供給が、５Ｖの供給より先に行われた場合、ＩＣ３８に過電圧３．３Ｖが印加され、電流が流れっぱなしの状態となり、ＩＣ３８の動作が不安定になる（ラッチアップ）。しかし、本実施形態のように、５Ｖの供給を３．３Ｖの供給より確実に先行して行うことにより、ＩＣ３８は逆バイアス状態となり、３．３Ｖが印加されても電流が流れっぱなしになるということを確実に防止することができる。つまり、従来用いていた保護抵抗等を省略することが可能となる。
【００２７】
また、図２に示すように、５Ｖ、±５Ｖ、±１２Ｖ、±１５Ｖ、３．３Ｖのような低電圧の個別電源（例えば、２０Ｖ未満、好ましくは１５Ｖ以下）を先行して立ち上げ、その後に高電圧（例えば２０Ｖ以上、好ましくは５０Ｖ以上）の±９０Ｖや±６０Ｖが確実に立ち上がるようにすることにより、低電圧で動作する超音波診断装置における制御回路が確実に動作し始めてから高電圧を超音波診断装置の各回路に供給することができるので、超音波診断装置の安全性をより向上することが可能となる。また、従来は、高電圧の供給制御も複雑なソフトウエア等を用いて行っていたが、上述のように本実施形態ではシンプルな構成で確実な電圧供給制御を行うことができる。なお、各個別電源２６ａ−２６ｎの立ち上がりタイミングは、例えば、制御回路用の５Ｖが立ち上がり始め、所定閾値（例えば、Ｖｔ＝１．８Ｖ）を越えた時点からカウントを開始し、順次２ｍＳ後、４ｍＳ後、６ｍＳ後、８ｍＳ後、１０ｍＳ後等である。ただし、各電子ユニット１６ａ−１６ｎの負荷の状態等に応じてこの遅れ時間は、適宜変更することが望ましい。
【００２８】
また、超音波診断装置においては、図４に示すように超音波の送信を行う超音波振動子４０と超音波送信回路４２（振動子はいずれかの超音波送信回路一つに接続される）の接続ラインの切り替えを行うアナログスイッチ４４を用いている。このアナログスイッチ４４を動作させるために、例えば±９０Ｖの電源を用いているが、アナログスイッチ４４に電源（±９０Ｖ）が供給されていない状態で、アナログスイッチ４４に送信回路から送信信号（例えば±６０Ｖ）を印加すると、アナログスイッチ４４にダメージを与えてしまう虞がある。そのため、各電源ラインに何らかの安全対策を施す必要があった。しかし、図２に示すように、確実に±９０Ｖに続いて±６０Ｖを供給するように制御の順番を決めることにより、上述したようなダメージの虞も排除される。このように、従来の超音波診断装置では、各対策部分毎に電源供給に関するハードウエア構成やソフトウエア構成等で様々な安全対策が個々に必要であったが、電源管理ユニット１８による一括管理によりシンプルかつ確実な電源管理を実現することができる。
【００２９】
なお、図２においては、アナログ回路用の±５Ｖに続いて±１２Ｖ、±１５Ｖをオンする例を示しているが、アナログ回路用としてその投入順序が入れ替わっても問題ない場合には、±５Ｖ、±１２Ｖ、±１５Ｖの制御順序は任意である。また、グループ化して一括制御してもよい。
【００３０】
上述したように、電源コントローラ２０（電源管理ユニット１８）が起動すると、当該電源コントローラ２０は、電源ユニット１２のオン・オフ制御回路２８に対して、各電子ユニット１６ａ−１６ｎへの電源を所定の制御順序でオンするように制御信号を送るが、同時に、ホストコントローラユニット１４のオン・オフ制御回路２２に対してもホストコントローラユニット１４の電源投入の指示信号を供給する。前述したように、ホストコントローラユニット１４は、独立駆動可能なように、外部供給電源に接続されたトランス＆電源安定化回路３０及び個別電源３４ａ−３４ｎを有しているので、オン・オフ制御回路２２は、電源コントローラ２０からホストコントローラユニット１４の起動の指示を受けると、回路内部で決められたシーケンスに従って各個別電源３４ａ−３４ｎをオンして、ホストコントローラ３２ａや内部回路３２ｂ−３２ｎを起動する。
【００３１】
一方、超音波診断装置の電源を遮断する場合、まず、操作者がユーザＳＷをオフすると、電源コントローラ２０は、ホストコントローラ３２ａに対し、動作終了の要求信号を供給する。ホストコントローラ３２ａは、ホストコントローラユニット１４の動作終了処理を実施後、電源コントローラ２０に対し、終了処理完了の信号を供給する。電源コントローラ２０では、ホストコントローラユニット１４側の動作終了を確認後、電源ユニット１２のオン・オフ制御回路２８に対して、各電子ユニット１６ａ−１６ｎへの電源を所定の制御順序（オフ順序シーケンス）でオフするように制御信号を送る。
【００３２】
この時の制御順序は、電源投入時と逆の順番で行われる。つまり、±６０Ｖ（超音波送信回路用）、±９０Ｖ（超音波送信回路用）、３．３Ｖ（デジタル回路用）、±１２Ｖ、±１５Ｖ（アナログ回路用）、±５Ｖ（アナログ回路用）、５Ｖ（制御コントローラ用）の順で行われる。このように、電源オフ時にも所定の順番で個別電源からの電源供給を遮断していくことにより、各電子ユニットに対し意図しない電圧の接続によるダメージが与えられることを排除することが可能となる。
【００３３】
ところで、前述したように各電子ユニット１６ａ−１６ｎにおいては、個々に接続されている負荷が異なるので、個別電源２６ａ−２６ｎ側で所定の電圧出力を行っていても電子ユニット１６ａ−１６ｎ側で現実に所定の電圧の供給を受けているか否か確認する必要がある。そこで、本実施形態においては、各個別電源２６ａ−２６ｎから延びる電源ライン４６ａ−４６ｎのそれぞれに、各電子ユニット１６ａ−１６ｎへ供給される直前の電圧値を監視するセンサ、例えば電圧センサ４８ａ−４８ｎを配置し、その検出結果を電源コントローラ２０に提供している。この電圧センサ４８ａ−４８ｎにおいては、所定の電圧が各電子ユニット１６ａ−１６ｎに供給されているかの検出及び、前述した所定の順番で電源電圧のオン・オフが行われているかの検出を行っている。
【００３４】
通常、超音波診断装置が動作している場合、この電源電圧データは、ホストコントローラ３２ａに供給され、超音波診断装置のオペレーションシステム上で動作する監視プログラムで処理され、例えば、ディスプレイ画面上やコンソールパネル上で電圧モニターが行われる。また、必要に応じて正常／異常の提示等を行う。
【００３５】
しかし、ホストコントローラ３２ａのオペレーションシステムが立ち上がる前に電圧異常が発生する場合や、電源のオン・オフ順序が乱れる場合もあり得る。この場合、ホストコントローラ３２ａ側で監視処理を行うことができない。本実施形態の場合、電源コントローラ２０は、電源監視結果の提示素子として、例えば発光素子であるＬＥＤ５０を備えている。このＬＥＤ５０は、電圧センサ４８ａ−４８ｎ毎に設けられてもよいし、全体監視として１つでもよい。この場合、ＬＥＤ５０は、各電子ユニット１６ａ−１６ｎに対し正常に電源供給が行われているか否か提示するシンプルなものでよく、複雑な監視処理を伴うものでないことが望ましい。つまり、ホストコントローラ３２ａのオペレーションシステムの立ち上がり前でも容易に機能し操作者に電圧供給状態を提示するものが好ましい。もちろん、提示手段は、シンプルな制御で動作するものであれば任意であり、例えばブザー等でもよい。
【００３６】
また、本実施形態において、電源管理ユニット１８の電源コントローラ２０は、個別電源２６ａ−２６ｎを所定順序でオン・オフ制御する。すなわち、各個別電源２６ａ−２６ｎを独立でオン・オフ制御することが可能である。そこで、超音波診断装置において、一部の機能を休止する場合、つまり待機状態になったときに個別電源２６ａ−２６ｎのオン・オフ制御を行い省電力化を行うことができる。なお、待機状態に移行する場合、ホストコントローラ３２ａから電源コントローラ２０へ、不使用の電子ユニット１６ａ−１６ｎの電源をオフする指示を出すことになる。
【００３７】
図５には、個別電源２６ａ−２６ｎの使用パターンの一例が示されている。通常動作時、すなわち、超音波診断装置に接続された超音波振動子により超音波の送信を行って超音波データの収集を行うと共に、必要に応じて超音波データの解析や画像処理を行っているモードの場合は、全ての個別電源２６ａ−２６ｎをオンして各電子ユニット１６ａ−１６ｎを駆動させる。また、フリーズ時、つまり、超音波の送信のみを停止する場合には、超音波振動子を駆動する±９０Ｖ、±６０Ｖの供給のみを停止し、他の制御コントローラ用の５Ｖやアナログ回路用の±５Ｖ、±１２Ｖ、±１５Ｖ、デジタル回路用の３．３Ｖの供給を行う。また、データ解析時、つまりホストコントローラユニット１４のみが単独で動作し、データ解析等を行っている場合には、制御コントローラ用の５Ｖのみの供給を行い、他は停止する。さらに、スリープ時、つまり一定時間（例えば３０分）以上操作者からのアクセスがない場合には、制御コントローラ用の５Ｖのみの供給を行い、他は停止する。
【００３８】
このように、超音波診断装置が完全起動した後でも、電源コントローラ２０により個別電源２６ａ−２６ｎ毎にオン・オフを制御することにより、複雑なソフトウエア制御等を行うことなく、不要な電源の消費を抑制し、省電力化を行うことができる。
【００３９】
なお、図１に示す電源管理システム１０の構成は、一例であり、電子ユニット１６ａ−１６ｎに対する電源供給管理を従来のようにホストコントローラユニット１４や電源ユニット１２ではなく、各個別電源２６ａ−２６ｎによる電源供給に先立ち起動する独立した電源管理ユニット１８で行い、かつ電子ユニット１６ａ−１６ｎ毎の電源を決まった順序でオン、またはオフする構成であれば、適宜変更可能であり、本実施形態と同様の効果を得ることができる。例えば、図１においては、ユーザＳＷ３６により起動する電源コントローラ２０（電源管理ユニット１８）がオン・オフ制御回路２８を介して個別電源２６ａ−２６ｎによる電源供給制御を所定順序で行うよう例を説明したが、電源コントローラ２０により直接各個別電源２６ａ−２６ｎの電源供給を制御するようにしてもよい。また、図１においては、ユーザＳＷ３６により電源ユニット１２が起動し、オン・オフ制御回路２８を介して、電源コントローラ２０（電源管理ユニット１８）が起動し、再度オン・オフ制御回路２８を介して各個別電源２６ａ−２６ｎを制御する例を示したが、電源コントローラ２０が独立した電源を有している場合、ユーザＳＷ３６により電源コントローラ２０のみをまず起動し、電源コントローラ２０から電源ユニット１２を立ち上げて、個別電源２６ａ−２６ｎによる電源供給制御を開始するようにしても、本実施形態と同様な効果を得ることができる。ホストコントローラユニット１４に対する制御も同様である。
【００４０】
【発明の効果】
本発明によれば、電子ユニット側に接続されている負荷の状態に関わらず、所定の順番で個別電源のオン・オフ制御が行われるので、電子ユニット側は常に最適なタイミングで電源のオン・オフ制御を受け良好に動作することができる。そして、従来、電源供給に関し、ハード構成やソフトウエア構成等で様々な安全対策が個々に必要であったが、電源管理ユニットによる一括管理によりシンプルかつ確実な電源管理を実現することができる。
【図面の簡単な説明】
【図１】本発明の実施形態に係る超音波診断装置の電源管理システムの構成概念図である。
【図２】本発明の実施形態に係る超音波診断装置の電源管理システムによる個別電源のオン・オフタイミングを説明する説明図である。
【図３】個別電源ユニットのオン・オフタイミングによるＩＣの動作を説明する説明図である。
【図４】個別電源ユニットのオン・オフタイミングによるアナログスイッチの動作を説明する説明図である。
【図５】本発明の実施形態に係る超音波診断装置の電源管理システムを用いて、超音波診断装置の各種待機状態を実現する場合の個別電源のオン・オフパターンを説明する説明図である。
【符号の説明】
１０  電源管理システム、１２  電源ユニット、１４  ホストコントローラユニット、１６ａ−１６ｎ  電子ユニット、１８  電源管理ユニット、２０  電源コントローラ、２２，２８  オン・オフ制御回路、２４，３０  トランス＆電源安定化回路、２６ａ−２６ｎ，３４ａ−３４ｎ  個別電源、３２ａ  ホストコントローラ、３６  ユーザＳＷ、４０  超音波振動子、４２  超音波送信回路、４４  アナログスイッチ、４６ａ−４６ｎ  電源ライン、４８ａ−４８ｎ  電圧センサ。
【図１】
2004159812.tif 000003
【図２】
2004159812.tif 000004
【図３】
2004159812.tif 000005
【図４】
2004159812.tif 000006
【図５】
2004159812.tif 000007